(57)【要約】【課題】表示面上での遮光物の位置の誤検出を未然に防止できるタッチパネルを提供する。【解決手段】画像を表示する表示パネルと、該表示パネルの表示面１０１に沿って光を出射する発光素子９１１の列と、発光素子９１１の列に対向して配置され、発光素子９１１から出射された光を受光する受光素子の列とを備え、表示面１０１上で発光素子９１１から出射された光を遮蔽する遮光物の位置を検出するタッチパネル装置において、表示面１０１の縁側を覆って前記表示パネルを保持する保持部材７に照射される発光素子９１１から出射された光が表示面１０１に沿う方向に反射されることを防止する反射防止部７８を設ける。【選択図】図６
2015095104.tif 000002
【特許請求の範囲】
【請求項１】
画像を表示する表示パネルと、該表示パネルの表示面に沿って光を出射する発光素子の列と、該発光素子の列に対向して配置され、該発光素子からの光を受光する受光素子の列とを備え、前記表示面上で前記発光素子からの光を遮蔽する遮光物の位置を検出するタッチパネル装置において、
前記表示面の縁部を覆い、前記表示パネルを保持する保持部材を備え、
該保持部材には、前記発光素子から出射された光が反射されて前記受光素子に受光されるのを抑制する反射防止部が設けられていることを特徴とするタッチパネル装置。
【請求項２】
前記保持部材は、前記発光素子から出射された光を吸収する光吸収膜を有していることを特徴とする請求項１に記載のタッチパネル装置。
【請求項３】
前記保持部材は、
前記発光素子から出射された光が照射される部分に、前記光吸収膜が設けられていることを特徴とする請求項２に記載のタッチパネル装置。
【請求項４】
前記保持部材の前記表示面側の端部と、該端部付近の表示面とに、光を吸収する光吸収シートが貼付されていることを特徴とする請求項１に記載のタッチパネル装置。
【請求項５】
前記保持部材は、
前記発光素子から出射された光が照射される部分に、光を吸収する光吸収シートが貼付されていることを特徴とする請求項１に記載のタッチパネル装置。
【請求項６】
前記保持部材は、
前記発光素子から出射された光が照射される部分に、前記表示面と鈍角をなす傾斜面が形成されていることを特徴とする請求項１に記載のタッチパネル装置。
【発明の詳細な説明】
【技術分野】
【０００１】
本発明は、画像を表示する表示パネルと、該表示パネルの表示面に沿って光を出射する発光素子の列と、該発光素子の列に対向して配置され、該発光素子から出射された光を受光する受光素子の列とを備え、前記表示面上で前記発光素子から出射された光を遮蔽する遮光物の位置を検出するタッチパネル装置に関する。
【背景技術】
【０００２】
近年、表示面上に書き込まれた情報に係る座標を検知して、該表示面上に表示されている画像に対して上書きすることにより、前記画像と書き込まれた情報を重ねて表示し、あるいは、書き込まれた情報をコンピュータにリアルタイムで取り込んで前記表示面に書き込まれた情報を表示することが出来る電子ホワイトボードが普及している。
【０００３】
電子ホワイトボードで使用される座標入力、座標検知方法としては、種々の方式が提案されているが、その一つとして赤外線を用いた赤外線遮断式がある。図１６は従来の赤外線遮断式の電子ホワイトボードにおける、座標検知及び座標入力を説明する模式図である。
【０００４】
斯かる赤外線遮断式の電子ホワイトボード２００においては、表示パネル２０１の縦方向の１辺（図示せず）と横方向の１辺とに赤外線の光を発光する多数のＬＥＤ１，２，３…を各々１列に等間隔で配列し、該ＬＥＤの列と対向する辺に受光素子１，２，３…（フォトトランジスタ）を該ＬＥＤの列と同間隔で１列に配列し、対向するＬＥＤ・受光素子対を順次走査して、Ｘ方向（横）とＹ方向（縦）について赤外線の光の遮断物による赤外線の光の遮断の有無を検出し、該遮断物の位置を入力位置として認識するものである。
【０００５】
例えば、ＬＥＤ３から発光される赤外線の光（以下、単に赤外光という。）が遮光物Ｓによって遮光された場合、受光素子１〜受光素子５における受光量が低減する。このような受光素子１，２，３…での受光量の変化に基づき、遮光物Ｓの有無及び位置（座標）が検出できる。
【０００６】
一方、特許文献１では、配置された発光素子及び受光素子の個々の素子間の距離を予め所定数に分割して求めた位置座標に基づいて高分解能座標出力を行ない、また、その表示面の任意の箇所で検出された遮光物体の座標周辺のみを集中的に走査する赤外線遮断式のタッチパネルが開示されている。
【先行技術文献】
【特許文献】
【０００７】
【特許文献１】特開２０００−２０２２７号公報
【発明の概要】
【発明が解決しようとする課題】
【０００８】
しかしながら、上述したような従来の電子ホワイトボード２００においては、表示パネル２０１を固定する保持部材による光の反射により、遮光物Ｓの誤検出が生じるといった問題がある。このような反射光のことを、図１６において不要反射光として記す。詳細は後述する。
【０００９】
図１７は図１６のＩ‐ＩＩ線による断面図である。
電子ホワイトボード２００は、表示パネル２０１の表示面２０１０と、表示面２０１０より表側に設けられた保護ガラス２０１１と、表示面２０１０の縁側に周設されたベゼル部８００とを備えており、保護ガラス２０１１及び表示パネル２０１は、保持部材７００によってその位置が保持されている。
【００１０】
また、ベゼル部８００の内側であって、保持部材７００との間には、発光素子（又は受光素子）及び該発光素子（又は受光素子）が実装された基板が設けられている。前記発光素子（又は受光素子）は、表示面２０１０（保護ガラス２０１１）の縁部からベゼル部８００の端部に渡って設けられた透光板８１０により覆われている。
【００１１】
このような構成を有する電子ホワイトボード２００は、発光素子が発する赤外光が透光板８１０を介して出射され、対向側の透光板８１０を介して受光素子に入射される。
【００１２】
しかし、電子ホワイトボード２００が大型で、表示面２０１０が床などの設置面に対して垂直となるように立てて設置される場合、表示面２０１０及び保護ガラス２０１１が自重で反ることにより、又は機構設計、製造上の誤差により、透光板８１０と保護ガラス２０１１（表示面２０１０）の間に隙間が発生しやすくなる。
【００１３】
このように、隙間が発生した場合、図１６の発光素子ＬＥＤ１，２からの赤外光が右辺のベゼルの隙間を通って保持部材７００に当たって反射され、受光素子１，２に影響を及ぼすこととなる。以下、このように該隙間を通って保持部材７００に反射する赤外光を、不要反射光と呼ぶものとする。
【００１４】
このような不要反射光はいわゆる迷光であり、予定していない方向に進行して斯かる方向の受光素子によって受信された場合には、遮光物Ｓの誤検出（遮光不良）を招く原因となり得る。
【００１５】
本発明は、斯かる事情に鑑みてなされたものであり、その目的とするところは、画像を表示する表示パネルと、該表示パネルの表示面に沿って光を出射する発光素子の列と、該発光素子の列に対向して配置され、該発光素子からの光を受光する受光素子の列とを備え、前記表示面上で前記発光素子からの光を遮蔽する遮光物の位置を検出するタッチパネル装置において、前記表示面の縁部を覆って前記表示パネルを保持する保持部材に反射防止部を設け、該保持部材に照射される前記発光素子からの光が、前記表示面に沿う方向に反射されることを防止することにより、前記表示面上での遮光物の位置の誤検出を未然に防止できるタッチパネルを提供することにある。
【課題を解決するための手段】
【００１６】
本発明に係るタッチパネル装置は、画像を表示する表示パネルと、該表示パネルの表示面に沿って光を出射する発光素子の列と、該発光素子の列に対向して配置され、該発光素子からの光を受光する受光素子の列とを備え、前記表示面上で前記発光素子からの光を遮蔽する遮光物の位置を検出するタッチパネル装置において、前記表示面の縁部を覆い、前記表示パネルを保持する保持部材を備え、該保持部材には、前記発光素子から出射された光が反射されて前記受光素子に受光されるのを抑制する反射防止部が設けられていることを特徴とする。
【００１７】
本発明に係るタッチパネル装置は、前記保持部材は、前記発光素子から出射された光を吸収する光吸収膜を有していることを特徴とする。
【００１８】
本発明に係るタッチパネル装置は、前記保持部材は、前記発光素子から出射された光が照射される部分に、前記光吸収膜が設けられていることを特徴とする。
【００１９】
本発明に係るタッチパネル装置は、前記保持部材の前記表示面側の端部と、該端部付近の表示面とに、光を吸収する光吸収シートが貼付されていることを特徴とする。
【００２０】
本発明に係るタッチパネル装置は、前記保持部材は、前記発光素子から出射された光が照射される部分に、光を吸収する光吸収シートが貼付されていることを特徴とする。
【００２１】
本発明に係るタッチパネル装置は、前記保持部材は、前記発光素子から出射された光が照射される部分に、前記表示面と鈍角をなす傾斜面が形成されていることを特徴とする。
【発明の効果】
【００２２】
本発明によれば、前記保持部材に照射される前記発光素子から出射された光が前記表示面に沿う方向に反射されることを防止することにより、前記表示面上での遮光物の位置の誤検出を未然に防止できる。
【図面の簡単な説明】
【００２３】
【図１】本発明の実施の形態１の電子ホワイトボードを概念的に表示した概念図である。
【図２】本発明の実施の形態１の電子ホワイトボードの要部構成を示す機能ブロック図である。
【図３】本発明の実施の形態１の電子ホワイトボードのタッチパネル部における、制御部の要部構成を示す機能ブロック図である。
【図４】本発明の実施の形態１の電子ホワイトボードにおける、光の走査の処理を説明する機能ブロック図である。
【図５】本発明の実施の形態１の電子ホワイトボードにおける、走査及び遮光物の検出を説明する説明図である。
【図６】図１のＡ‐Ｂ線による断面図である。
【図７】本発明の実施の形態１に係る電子ホワイトボードにおける、反射防止部の構成の変形例１を説明する説明図である。
【図８】本発明の実施の形態１に係る電子ホワイトボードにおける、反射防止部の構成の変形例２を説明する説明図である。
【図９】本発明の実施の形態１に係る電子ホワイトボードにおける、反射防止部の構成の変形例３を説明する説明図である。
【図１０】本発明の実施の形態２に係る電子ホワイトボードにおける、反射防止部の構成を説明する説明図である。
【図１１】本発明の実施の形態２に係る電子ホワイトボードにおける、反射防止部の構成の変形例を説明する説明図である。
【図１２】本発明の実施の形態３に係る電子ホワイトボードにおける、反射防止部の構成を説明するための説明図である。
【図１３】本発明の実施の形態４に係る電子ホワイトボードにおける、反射防止部の構成を説明するための説明図である。
【図１４】本発明の実施の形態５に係る電子ホワイトボードにおける、反射防止部の構成を説明するための説明図である。
【図１５】本発明の実施の形態６に係る電子ホワイトボードにおける、反射防止部の構成を説明するための説明図である。
【図１６】従来の赤外線遮断式の電子ホワイトボードにおける、座標検知及び座標入力を説明する模式図である。
【図１７】図１６のＩ‐ＩＩ線による断面図である。
【発明を実施するための形態】
【００２４】
以下、本発明に係るタッチパネル装置を、いわゆる電子ホワイトボードに適用した場合を例に挙げて、図面に基づいて詳述する。
【００２５】
（実施の形態１）
図１は本発明の実施の形態１の電子ホワイトボード１００を概念的に表示した概念図であり、図２は本発明の実施の形態１の電子ホワイトボード１００の要部構成を示す機能ブロック図である。
【００２６】
本発明の実施の形態１の電子ホワイトボード１００は、表示部（表示パネル）１００Ａとタッチパネル部１００Ｂとを有しており、タッチパネル部１００Ｂは、赤外線を発光する発光素子及び赤外線を受光する受光素子を備え、遮光物の位置を検出する、いわゆる赤外線遮断式タッチパネルとなっている。電子ホワイトボード１００においては、例えば、表示パネル１００ＡはＨＤＭＩ（登録商標）を介して、タッチパネル部１００ＢはＵＳＢを介してパーソナルコンピュータ（以下、ＰＣと言う。）と接続されている。本実施例では、表示パネル１００Ａとタッチパネル部１００Ｂとは映像表示と座標指示との機能別に、各々独立した形で構成しているが、表示と座標指示との同期を図る等の目的で、統合的に構成・制御しても良い。また、映像表示、座標指示のＩ／Ｆは、ＨＤＭＩ、ＵＳＢに限らず、他の方式を用いても良い。
【００２７】
表示パネル１００Ａは、例えばＬＣＤ又はＥＬ（Electroluminescence）パネル等からなり、ＰＣからの映像出力および、タッチパネル部１００ＢとＰＣを介して利用者から受け付ける文字、線画等が表示される。また、表示パネル１００Ａの表示面を囲むようにタッチパネル部１００Ｂが設けられている。
【００２８】
タッチパネル部１００Ｂは制御部１と、ＲＯＭ２と、ＲＡＭ３、Ｉ／Ｆ部５、走査部９とを備えており、Ｉ／Ｆ部５を介して前記ＰＣとの座標データの送受信を行う。
【００２９】
タッチパネル部１００Ｂの制御部１は、走査部９による走査結果に係る座標に基づき、文字、線画等の筆記・描画を、ＰＣを介して受け付けることで、表示パネル１００Ａに文字、線画等を表示させる。
【００３０】
ＲＯＭ２には制御プログラムが予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ等を記憶する。
【００３１】
制御部１は、ＲＯＭ２に予め格納されている制御プログラムをＲＡＭ３上にロードして実行することによって、バスを介して上述した各種ハードウェアの制御を行い、タッチパネル部１００Ｂを機能させる。
【００３２】
図３は本発明の実施の形態１の電子ホワイトボード１００のタッチパネル部１００Ｂにおける、制御部１の要部構成を示す機能ブロック図である。制御部１は、ＣＰＵ１１と、座標算出部１２と、遮光物管理部１３と、検出部１４とを備えている。
【００３３】
座標算出部１２は、ペン形入力器又は指等の遮光物の表示パネル１００Ａの表示面上の座標を算出する。詳しくは、タッチパネル部１００Ｂによって、表示パネル１００Ａの表示面上の光遮断が検出された場合に送られる、後述する強度信号に基づき、斯かる遮光物の座標を算出する。
【００３４】
遮光物管理部１３は、走査部９の走査によって検出される遮光物の位置（座標）を管理する。例えば、遮光物管理部１３は、斯かる遮光物が移動する場合、遮光物の移動を表す座標履歴を記憶する。
【００３５】
検出部１４は、表示パネル１００Ａの表示面上における、１又は複数の遮光物の位置を検出する。詳しくは、タッチパネル部１００Ｂの走査部９が表示パネル１００Ａの表示面上の全領域に対して光の走査を行い、タッチパネル部１００Ｂから取得される全領域走査の結果に係る強度信号に基づき、検出部１４は表示パネル１００Ａの表示面上の遮光物の座標を検出する。
【００３６】
また、ＣＰＵ１１は、走査部９の発光素子及び受光素子の制御を行なう。
【００３７】
タッチパネル部１００Ｂは、上記したように、赤外線遮断式タッチパネルである。すなわち、図示しないペン形入力装置又は指等の先端が表示パネル１００Ａの表示面の直近に近づいたことにより光遮断が検出されることによって、斯かる遮光物（ペン形入力装置又は指等）の位置を検出する。すなわち、走査結果、受光素子から得られる信号（強度信号）が制御部１に送出され、これに基づき、座標算出部１２は斯かる遮光物の座標を算出する。このようにして、タッチパネル部１００Ｂは、利用者から表示パネル１００Ａ上の位置指定、文字、線画等の入力を受け付ける。
【００３８】
タッチパネル部１００Ｂは、表示パネル１００Ａの表示面に沿って赤外光を走査する走査部９を備えており、走査部９は、赤外光を照射する複数の発光素子を有する発光部９１と、対応する発光素子からの赤外光を受光する複数の受光素子を有する受光部９２と、制御部１（ＣＰＵ１１）からの発光信号及び受光信号を夫々の発光部９１及び受光部９２に割り当てるアドレスデコーダ９３と、光遮断の検出に用いられる受光部９２からのアナログ信号をデジタル信号に変換するＡ／Ｄコンバータ９４とを備えている。
【００３９】
図４は本発明の実施の形態１の電子ホワイトボード１００における、光の走査の処理を説明する機能ブロック図である。
【００４０】
発光部９１は、図示しないマルチプレクサを有しており、発光素子の夫々は該マルチプレクサに接続されている。また、受光部９２も、図示しないマルチプレクサを有しており、受光素子の夫々は該マルチプレクサに接続されている。更に、発光部９１の各発光素子は、受光部９２の何れか一つ受光素子と対応（対向）するように構成されている。
【００４１】
制御部１のＣＰＵ１１は、複数の発光素子を発光させるための発光信号をアドレスデコーダ９３Ａへ出力すると共に、複数の受光素子を受光させるための受光信号をアドレスデコーダ９３Ｂへ出力する。アドレスデコーダ９３Ａは、ＣＰＵ１１からの信号に応じて、発光素子の内、発光に係る何れかの発光素子を特定する信号を発光部９１に出力し、またアドレスデコーダ９３Ｂは、ＣＰＵ１１からの信号に応じて、受光素子の内で、前記特定された発光素子に対応する受光素子を特定する信号を受光部９２に出力する。
【００４２】
このように特定された発光素子は赤外光を発光し、対応する受光素子は赤外光を受光する。この際、該受光素子によって受光した赤外光の強度を電圧値で示す強度信号がＡ／Ｄコンバータ９４に出力される。Ａ／Ｄコンバータ９４は前記強度信号を例えば、８ビットのデジタル信号に変換し、変換後の強度信号を制御部１に出力する。制御部１は、全ての受光素子からの強度信号を取得するために、各受光素子から強度信号を取得する処理を順次繰り返す。
【００４３】
制御部１のＣＰＵ１１は、各受光素子から取得した強度信号に基づき、該受光素子での受光量を計算する。ＣＰＵ１１は、計算された受光量が予め定められている閾値を超過している場合は、当該受光素子が受光する赤外光の光路は遮断されていないと判定する。また、計算された受光量が、予め定められている閾値以下である場合は、当該受光素子が受光する赤外光の光路が遮断されていると判定する。
【００４４】
このようなＣＰＵ１１の判定結果に基づき、座標算出部１２及び検出部１４は遮光物の位置を算出する。すなわち、座標算出部１２及び検出部１４は、赤外光の光路が遮断されている受光素子を特定し、特定された受光素子の位置に基づき、表示パネル１００Ａの表示面上の遮光物の座標を算出する処理を行う。
【００４５】
以下に、前記走査及び遮光物の検出について詳しく説明する。図５は本発明の実施の形態１の電子ホワイトボード１００における、走査及び遮光物の検出を説明する説明図である。
【００４６】
表示パネル１００Ａの表示面は矩形状であり、該表示面の図面視右側及び下側には、表示パネル１００Ａの縁に沿って複数の発光素子９１１、９１１、…の列が並設されている。発光素子９１１は、例えば、赤外光を発光する発光ダイオード（ＬＥＤ）である。図中には、各発光素子９１１が発光する赤外光の光路を実線の矢印にて示している。
【００４７】
右側の複数の発光素子９１１、９１１、…は、夫々の発光素子９１１が発光する赤外光の光路が前記表示面に沿って互いに平行をなすように設けられており、下側の発光素子９１１、９１１、…も同様に設けられている。
【００４８】
すなわち、図５における左右方向（ｘ軸方向）たる右側の発光素子９１１、９１１、…と、上下方向（ｙ軸方向）たる下側の複数の発光素子９１１、９１１、…とは、その光路が相互直交するように設けられている。
【００４９】
また、表示パネル１００Ａの表示面上であって、発光素子９１１、９１１、…と対向する位置には、受光素子９２１、９２１、…が設けられている。
【００５０】
すなわち、表示パネル１００Ａの表示面の左側及び上側には、縁に沿って複数の受光素子９２１、９２１、…の列が並設されている。受光素子９２１は、赤外光を受光する受光ダイオードである。発光素子９１１、９１１、…からの赤外光は、対向して配置された受光素子９２１、９２１、…によって受光されるように構成されている。
【００５１】
発光素子の場合と同様に、上側の受光素子９２１、９２１、…と、左側の受光素子９２１、９２１、…とは、受光すべき赤外光の光路が相互直交するように設けられている。
【００５２】
走査部９は、表示パネル１００Ａの表示面における、Ｘ軸方向の一端から他端まで、またＹ軸方向の一端から他端まで、１つずつ発光素子９１１を順次発光させていき、表示パネル１００Ａの表示面の遮光物の位置、大きさ等が上述したように検出される。
【００５３】
図６は図１のＡ‐Ｂ線による断面図である。
【００５４】
電子ホワイトボード１００は、表示パネル１００Ａの表示面１０１と、表示面１０１より表側に設けられた保護ガラス１０２と、表示面１０１の縁部に沿って配置されたベゼル部８とを備えている。本例は、表示パネル１００Ａの表示面１０１に保護ガラス１０２を組み合わせた構成であるが、表示パネル１００Ａの表示面１０１を保護するために、透明樹脂成形を施した構成であっても良い。
【００５５】
ベゼル部８は、表示面１０１の縁部を覆う空洞の枠体８２を有しており、枠体８２の内側には発光素子９１１、９１１、…（又は受光素子９２１、９２１、…）が収納されている。ベゼル部８の表示面１０１側の端部には、透光板８１が設けられている。
【００５６】
透光板８１は、上述したように、Ｘ軸方向及びＹ軸方向に並設された発光素子９１１、９１１、…及び受光素子９２１、９２１、…を覆うように設けられた、長方形の板材である。透光板８１は、発光素子９１１、９１１、…が発する赤外光と、受光素子９２１、９２１、…に入射される赤外光とを透過させる。更に、透光板８１は、外部から枠体８２の内側の発光素子９１１、９１１、…及び受光素子９２１、９２１、…が見えないようにする役割と、発光素子・受光素子を実装した基板を保護する役割と、発光素子より放射される光のピーク波長（例えば、８５０ｎｍ付近の近赤外波長）のみを透過するバンドパスフィルタの役割を担っている。透光板８１が表示面１０１及び保護ガラス１０２に対して垂直ではなく傾斜しているのは、透光板８１の表面における不要反射光の影響を回避するためである。透光板８１が表示面１０１及び保護ガラス１０２に対して略垂直な場合、発光素子９１１より放射された光は透光板８１で反射され、受光素子９２１で検知されるおそれがある。一方、傾斜した透光板８１に照射された発光素子９１１より放射された光は、表示面１０１及び保護ガラス１０２から遠ざかる方向（保護ガラス１０２の上方）に反射されるので、受光素子９２１には、透光板８１で反射される不要反射光は影響されにくくなる。
【００５７】
また、透光板８１は、例えば、ポリカーボネート、アクリル等からなり、短手方向の幅が例えば、１６ｍｍであって、裏側の両長辺部が夫々枠体８２の端部及び表示面１０１によって支えられた状態にて、該端部に、接着剤などによって粘着されている。
【００５８】
枠体８２の内側には、表示面１０１と直交する方向に配置された基板９１２に、発光素子９１１、９１１、…が実装されており、発光素子９１１、９１１、…の発光部が発する赤外光は透光板８１を透過して出射され、対向する受光部９２の透光部８１を透過して入射し、受光素子９２１、９２１、…にて受光される。
【００５９】
一方、表示パネル１００Ａ（表示面１０１）及び保護ガラス１０２は、保持部材７によって、その位置が保持されている。保持部材７は、表示パネル１００Ａの縁付近に設けられ、表示面１０１及び保護ガラス１０２の縁側を覆うようにして、表示面１０１及び保護ガラス１０２を保持している。
【００６０】
より詳しくは、保護ガラス１０２は、表示面１０１と略等しい寸法の矩形であり、表示面１０１の表側と接するように載置されている。保持部材７は、このような保護ガラス１０２の縁部と所定の幅を持って接するように周設され、保護ガラス１０２及び表示パネル１００Ａ（表示面１０１）を挟持している。
【００６１】
保持部材７には、発光素子９１１から出射された光が反射されて受光素子９２１に受光されるのを抑制する反射防止部７８が設けられている。より詳しくは、保持部材７には、表示面１０１及び保護ガラス１０２を保持する固定部７１に照射される赤外光の表示面１０１に沿う方向への反射を防止する反射防止部７８が設けられている。すなわち、保持部材７はその一部である固定部７１が表示面１０１及び保護ガラス１０２の縁部分を覆っており、該固定部７１の外側には、赤外光を吸収する光吸収膜７３が設けられている。光吸収膜７３は固定部７１を覆って設けられており、固定部７１に向かって照射される赤外光を吸収する。
【００６２】
光吸収膜７３は、例えば、アゾ系、アミニウム系、アンスラキノン系、シアニン系、ジイモニウム系、ジチオール金属錯体系、スクアリリウム系、ナフタロシアニン系、フタロシアニン系等の化合物を含む。
【００６３】
また、これに限らず、光吸収膜７３は、研磨等の表面ブラスト加工、つや消しコート剤塗布、ＡＲ（Ａｎｔｉ  Ｒｅｆｒｅｃｔｉｏｎ）フィルム、モスアイフィルムの貼付などであっても良い。
【００６４】
更に、光吸収膜７３は、例えば、光合成色素であるクロロフィルを含むように構成してもよい。より詳しくは、光吸収膜７３は、例えば、クロロフィル成分を含む、抹茶粉末などを適切な溶剤（例えば、アクリル溶剤、エナメル溶剤等）にて混合して塗装された構成とする。
【００６５】
クロロフィルは、光合成反応で光エネルギーを吸収する役割をもつ化学物質であり、４５０ｎｍ付近、７００ｎｍ付近、８５０ｎｍ付近の光を吸収するので、赤外光を吸収することができる。また、クロロフィル成分の例としては、クロロフィルｄ及びバクテリオクロロフィルａが挙げられる。
【００６６】
より詳しくは、光吸収膜７３は、５％の抹茶粉末をアクリル溶剤に混合して塗装することにより構成される。
【００６７】
本発明の実施の形態１に係る電子ホワイトボード１００は、反射防止部７８（光吸収膜７３）によって、上述したような、遮光物の位置の誤検出（遮光不良）問題を解決することができる。以下、詳しく説明する。
【００６８】
例えば、電子ホワイトボードが大型で、表示面１０１が床などの設置面に対して垂直となるように立てて設置される場合、表示面１０１及び保護ガラス１０２が自重で反ることにより、又は機構設計・製造上の誤差により、透光板８１と保護ガラス１０２（表示面１０１）の間に隙間が発生しやすくなる。
【００６９】
このような場合、図５の下辺の左右端又は右辺の上下端の発光素子９１１が発する赤外光の一部が、左右のベゼル部８又は上下のベゼル部８における前記隙間を通って、保持部材７の固定部７１に当たって反射され、上辺の左右端又は左辺の上下端の受光素子９２１にて不要反射光として受光されることになる。前記不要反射光は、このような現象により、本来、遮光物によって遮蔽されるべき光量の変化を阻害することになり、位置の誤検出（遮光不良）の要因となる。
【００７０】
しかし、本発明の実施の形態１に係る電子ホワイトボード１００においては、上述したように、保持部材７の固定部７１に光吸収膜７３が設けられているので、前記隙間を通って透光板８１の内側に入射する赤外光が固定部７１に当たったとしても反射が抑制され、光吸収膜７３により吸収される。従って、前記不要反射光の発生が抑制され、該不要反射光による遮光物の位置の誤検出を未然に防ぐことができる。
【００７１】
以上の記載においては、反射防止部７８として、保持部材７の固定部７１に光吸収膜７３が設けられている場合を例として説明したが、本発明はこれに限るものでない。
【００７２】
図７は本発明の実施の形態１に係る電子ホワイトボード１００における、反射防止部７８の構成の変形例１を説明する説明図である。
【００７３】
本発明の実施の形態１に係る反射防止部７８の変形例１においても、保持部材７が、保護ガラス１０２（又は表示面１０１）側の固定部７１に反射防止部７８を設けているが、その構成が相違する。
【００７４】
より詳しくは、反射防止部７８の構成の変形例１において、固定部７１の先端面７２は、図７に示したように、保護ガラス１０２（又は表示面１０１）に対して略垂直であり、先端面７２には、赤外光を吸収する光吸収膜７４が設けられている。光吸収膜７４は固定部７１に向かって照射される赤外光を吸収する。また、光吸収膜７４は、上述した光吸収膜７３と同一の材質であり、詳しい説明を省略する。
【００７５】
このような反射防止部７８の構成の変形例１においては、反射防止部７８（光吸収膜７４）によって、上述したような、遮光物の位置の誤検出（遮光不良）問題を解決することができる。
【００７６】
上述したように、図５の下辺の左右端、又は、右辺の上下端の発光素子９１１が発する赤外光の一部が、左右のベゼル部８、又は、上下のベゼル部８における前記隙間を通って、保持部材７の固定部７１の先端面７２に当たって反射され、前記上辺の左右端、又は、前記左辺の上下端の受光素子９２１にて不要反射光として受光されることになる。前記不要反射光は、このような現像により、本来、遮光物によって遮蔽されるべき光量の変化を阻害することになり、位置の誤検出（遮光不良）の要因となる。
【００７７】
しかし、反射防止部７８の構成の変形例１においては、上述したように、保持部材７の固定部７１の先端面７２に光吸収膜７４が設けられているので、前記隙間を通って透光板８１の内側に入射する赤外光が固定部７１（先端面７２）に当たったとしても反射が抑制され、光吸収膜７４により吸収される。従って、不要反射光の発生が抑制されて、該不要反射光による遮光物の位置の誤検出を未然に防ぐことができる。
【００７８】
また、本発明の実施の形態１に係る電子ホワイトボード１００における、反射防止部７８の構成は以上の記載に限るものでない。
【００７９】
図８は本発明の実施の形態１に係る電子ホワイトボード１００における、反射防止部７８の構成の変形例２を説明する説明図である。
【００８０】
本発明の実施の形態１に係る反射防止部７８の構成の変形例２においても、保持部材７が、保護ガラス１０２（表示面１０１）側の固定部７１に反射防止部７８を設けているが、その構成が相違する。
【００８１】
より詳しくは、反射防止部７８の構成の変形例２においては、保持部材７の固定部７１の先端面だけでなく、先端面に近接する保護ガラス１０２（又は表示面１０１）及び固定部７１の上面に、光を吸収する光吸収シート７５が貼付されている（図８参照）。光吸収シート７５は固定部７１に向かって照射される赤外光を吸収する。光吸収シート７５は、上述した光吸収膜７３及び光吸収膜７４と同一の材質であり、詳しい説明を省略する。
【００８２】
このような反射防止部７８の構成の変形例２においては、反射防止部７８（光吸収シート７５）によって、上述したような、遮光物の位置の誤検出問題を解決することができる。
【００８３】
すなわち、反射防止部７８の構成の変形例２においては、上述したように、保持部材７の固定部７１に光吸収シート７５が設けられているので、前記隙間を通って透光板８１の内側に入射する赤外光が固定部７１に当たったとしても反射が抑制され、光吸収シート７５により吸収される。従って、前記不要反射光の発生が抑制されて、該不要反射光による遮光物の位置の誤検出を未然に防ぐことができる。
【００８４】
更に、本発明の実施の形態１に係る電子ホワイトボード１００における、反射防止部７８の構成は以上の記載に限るものでない。
【００８５】
図９は本発明の実施の形態１に係る電子ホワイトボード１００における、反射防止部７８の構成の変形例３を説明する説明図である。
【００８６】
本発明の実施の形態１に係る反射防止部７８の構成の変形例３においても、保持部材７が、保護ガラス１０２（表示面１０１）側の固定部７１に、固定部７１に照射される赤外光の表示面１０１に沿う方向への反射を防止する反射防止部７８を設けているが、その構成が相違する。
【００８７】
反射防止部７８の構成の変形例３においては、固定部７１の先端面７２は、図９に示したように、保護ガラス１０２（又は表示面１０１）に対して略垂直であり、先端面７２には、赤外光を吸収する光吸収シート７６が貼り付けられている。より詳しくは、上述した光吸収膜７４においては、先端面７２に光吸収膜７４が例えば塗装されていたが、反射防止部７８の構成の変形例３においては、先端面７２に光吸収シート７６が貼り付けられている。光吸収シート７６は、固定部７１に向かって照射される赤外光を吸収する。
【００８８】
従って、反射防止部７８の構成の変形例３においては、例えば、ベゼル部８の組み立て後でも光吸収シート７６を貼り付けることが可能であり、組み立て作業の自由度が上昇する。光吸収シート７６は、上述した光吸収シート７５と同一の材質であり、詳しい説明を省略する。
【００８９】
このような反射防止部７８の構成の変形例３においては、反射防止部７８（光吸収シート７６）によって、上述したような、遮光物の位置の誤検出問題を解決することができる。
【００９０】
すなわち、反射防止部７８の構成の変形例３においては、上述したように、保持部材７の固定部７１の先端面７２に光吸収シート７６が貼り付けられているので、前記隙間を通って透光板８１の内側に入射する赤外光が固定部７１に当たったとしても反射が抑制され、光吸収シート７６により吸収される。従って、前記不要反射光の発生が抑制されて、該不要反射光による遮光物の位置の誤検出を未然に防ぐことができる。
【００９１】
（実施の形態２）
本発明の実施の形態１に係る電子ホワイトボード１００においては、反射防止部７８として、保持部材７の固定部７１に光吸収膜７３が設けられている場合を例として説明したが、本発明はこれに限るものでない。
【００９２】
図１０は本発明の実施の形態２に係る電子ホワイトボード１００における、反射防止部７８の構成を説明する説明図である。
【００９３】
本発明の実施の形態２に係る電子ホワイトボード１００においては、実施の形態１と同様、保持部材７が、保護ガラス１０２（又は表示面１０１）側の固定部７１に、固定部７１へ照射される赤外光の表示面１０１に沿う方向への反射を防止する反射防止部７８を設けているが、その構成が相違する。
【００９４】
より詳しくは、本発明の実施の形態２に係る電子ホワイトボード１００において、固定部７１の先端には、図１０に示したように、保護ガラス１０２（又は表示面１０１）に対して鈍角αをなす傾斜面７７が形成されている。
【００９５】
すなわち、固定部７１は、保護ガラス１０２の縁部を覆う部分が固定部７１の先端に向かって幅が狭くなるように形成されている。本実施の形態の固定部７１は、保護ガラス１０２の縁部と接する平坦面を有しており、該平坦面と隣り合う傾斜面７７は、保護ガラス１０２（又は表示面１０１）と鈍角αをなすように切削加工されている。傾斜面７７は固定部７１に向かって照射される赤外光を保護ガラス１０２（又は表示面１０１）から遠ざかる方向に反射させる（図１０参照）。
【００９６】
本発明の実施の形態２に係る電子ホワイトボード１００は、反射防止部７８（傾斜面７７）によって、上述したような、遮光物の位置の誤検出問題を解決することができる。
【００９７】
上述したように、図５の下辺の左右端、又は、右辺の上下端の発光素子９１１が発する赤外光の一部が、左右のベゼル部８、又は、上下のベゼル部８における前記隙間を通って、保持部材７の固定部７１に当たって反射され、上辺の左右端、又は、左辺の上下端の受光素子９２１にて不要反射光として受光されることになる。前記不要反射光は、このような現象により、本来、遮光物によって遮蔽されるべき光量の変化を阻害することになり、位置の誤検出（遮光不良）の要因となる。
【００９８】
しかし、本発明の実施の形態２に係る電子ホワイトボード１００においては、上述したように、保持部材７の固定部７１に傾斜面７７が設けられているので、前記隙間を通って透光板８１の内側に入射する赤外光が固定部７１に当たった場合、傾斜面７７により、保護ガラス１０２（又は表示面１０１）から遠ざかる方向に反射される。従って、前記不要反射光が発生することはなく、該不要反射光による遮光物の位置の誤検出を未然に防ぐことができる。
【００９９】
以上の記載においては、固定部７１の先端に、保護ガラス１０２（又は表示面１０１）に対して鈍角αをなす傾斜面７７が形成されている場合を例として説明したが、本発明はこれに限るものでない。
【０１００】
図１１は本発明の実施の形態２に係る電子ホワイトボード１００における、反射防止部７８の構成の変形例を説明する説明図である。
【０１０１】
本発明の実施の形態２に係る反射防止部７８の構成の変形例においても、保持部材７が、保護ガラス１０２（又は表示面１０１）側の固定部７１に、固定部７１へ照射される赤外光の表示面１０１に沿う方向への反射を防止する反射防止部７８を設けているが、その構成が相違する。
【０１０２】
より詳しくは、本発明の実施の形態２に係る反射防止部７８の構成の変形例において、固定部７１の先端には、図１１に示したように、保護ガラス１０２（又は表示面１０１）に対して鈍角αをなす傾斜面７７Ａが形成されている。
【０１０３】
すなわち、固定部７１は、保護ガラス１０２側への曲げ加工がほどこされており、斯かる屈曲部が保護ガラス１０２の縁部を覆うように形成されている。また、斯かる屈曲部の外側である傾斜面７７Ａが、保護ガラス１０２（又は表示面１０１）と鈍角αをなすように曲げ加工されている。傾斜面７７Ａは固定部７１に向かって照射される赤外光を保護ガラス１０２（又は表示面１０１）から遠ざかる方向に反射させる（図１１参照）。
【０１０４】
本発明の実施の形態２に係る反射防止部７８の構成の変形例では、反射防止部７８（傾斜面７７Ａ）によって、上述したような、遮光物の位置の誤検出問題を解決することができる。
【０１０５】
すなわち、本発明の実施の形態２に係る反射防止部７８の構成の変形例においては、上述したように、保持部材７の固定部７１に傾斜面７７Ａが設けられているので、前記隙間を通って透光板８１の内側に入射する赤外光が固定部７１に当たった場合、傾斜面７７Ａにより、保護ガラス１０２（又は表示面１０１）から遠ざかる方向に反射される。従って、前記不要反射光が発生することはなく、該不要反射光による遮光物の位置の誤検出を未然に防ぐことができる。
【０１０６】
実施の形態１と同様の部分については、同一の符号を付して詳細な説明を省略する。
【０１０７】
（実施の形態３）
図１２は本発明の実施の形態３に係る電子ホワイトボード１００における、反射防止部７８の構成を説明するための説明図である。
【０１０８】
図１２に示す電子ホワイトボード１００においては、保護ガラス１０２（又は表示面１０１）に対して略垂直に透光板８１Ａが設けられている。発光素子９１１、９１１、…が発する赤外光は透光板８１Ａを介して対向する方向の受光素子９２１、９２１、…に向けて出射され、透光板８１Ａを介して受光素子９２１、９２１、…に入射される。
【０１０９】
実施の形態３において、透光板８１Ａは、保護ガラス１０２側の表側面が、円弧状の凸部をなしている。これは、透光板８１Ａの表側面において不要反射光が受光素子９２１に直接届かないように、反射方向を分散させる目的である。また、保持部材７の固定部７１は、透光板８１Ａの保護ガラス１０２側の端部と、保護ガラス１０２との間に介在しており、その先端部が保護ガラス１０２上に露出されている。
【０１１０】
従って、実施の形態３に係る電子ホワイトボード１００においても、上述したような遮光物の位置の誤検出の問題が生じる。すなわち、発光素子９１１、９１１、…から発せられた赤外光のうち、保護ガラス１０２の表側に近接して進行する部分が、保持部材７の固定部７１に当たって反射されると、再び保護ガラス１０２に沿って進行して何れかの受光素子９２１により受光される。このような場合、斯かる受光素子９２１での受光量が増加し、遮光物の位置の誤検出を招く虞がある。
【０１１１】
これに対して、実施の形態１及び２に記載したように、保持部材７の固定部７１に光吸収膜７３若しくは光吸収シート７５を設け、又は、保持部材７の固定部７１の先端面７２に光吸収膜７４若しくは光吸収シート７６を設けることにより、又は保持部材７の固定部７１に傾斜面７７若しくは傾斜面７７Ａを形成することにより、上述したような、遮光物の位置の誤検出問題を解決することができる。
【０１１２】
実施の形態１と同様の部分については、同一の符号を付して詳細な説明を省略する。
【０１１３】
（実施の形態４）
図１３は本発明の実施の形態４に係る電子ホワイトボード１００における、反射防止部７８の構成を説明するための説明図である。
【０１１４】
図１３に示す電子ホワイトボード１００においては、ベゼル部８の内側であって、保持部材７との間には、発光素子９１１（又は受光素子９２１）が実装された基板９１２（又は基板９２２）が設けられている。発光素子９１１（又は受光素子９２１）は、保護ガラス１０２の縁部からベゼル部８の端部に渡って、保護ガラス１０２に対して斜めに設けられた透光板８１Ｂにより覆われている。
【０１１５】
実施の形態４に係る電子ホワイトボード１００において、透光板８１Ｂは、保護ガラス１０２側の縁部に、赤外光の反射を防止する反射防止テープ８１１が付されている。透光板８１Ｂを保護ガラス１０２に対して斜めに設置することで、透光板８１Ｂの表面における赤外光の反射が、受光素子９２１に直接影響することを防いでいる。しかし実際には、透光板８１Ｂが保護ガラス１０２と接触するエッジ部分（反射防止テープ８１１を貼付している部分）において、赤外光の反射の影響が依然として残っている（例えば、透光板８１Ｂを垂直設置した時の不要反射光を１００％とした場合、数％程度）。反射防止テープ８１１により、この影響を未然に防ぐことができる。
【０１１６】
しかし、実施の形態４に係る電子ホワイトボード１００においても、上述したような遮光物の位置の誤検出の問題が生じる。すなわち、透光板８１Ｂと保護ガラス１０２（又は表示面１０１）の間に隙間が発生し、発光素子９１１、９１１、…が発する赤外光の一部が、図１３に示すように、前記隙間を通って透光板８１Ｂの内側に入射する場合が生じ得る。このような場合、透光板８１Ｂの内側に入射した赤外光が、保持部材７の固定部７１に当たって反射されることにより、再び前記隙間を通って進行して何れかの受光素子９２１により受光される。このような場合、斯かる受光素子９２１での受光量が増加し、遮光物の位置の誤検出を招く。
【０１１７】
これに対して、実施の形態１及び２に記載したように、保持部材７の固定部７１に光吸収膜７３若しくは光吸収シート７５を設け、又は、保持部材７の固定部７１の先端面７２に光吸収膜７４若しくは光吸収シート７６を設けることにより、又は保持部材７の固定部７１に傾斜面７７若しくは傾斜面７７Ａを形成することにより、上述したような、遮光物の位置の誤検出問題を解決することができる。
【０１１８】
実施の形態１と同様の部分については、同一の符号を付して詳細な説明を省略する。
【０１１９】
（実施の形態５）
図１４は本発明の実施の形態５に係る電子ホワイトボード１００における、反射防止部７８の構成を説明するための説明図である。
【０１２０】
図１４に示す電子ホワイトボード１００においては、保持部材７の固定部７１にベゼル部８Ｃが設けられている。ベゼル部８Ｃの両側壁８２Ｃ、８３Ｃが保護ガラス１０２（又は表示面１０１）と略平行となるように設けられている。ベゼル部８Ｃの内側には、その長手方向に基板９１２Ｃが配置され、発光素子９１１Ｃ、９１１Ｃ、…（又は受光素子９２１、９２１…）が実装されており、ベゼル部８Ｃの開口部側に設けられた溝によって透光板８１Ｃが保持されている。換言すれば、ベゼル部８Ｃの内側の発光素子９１１Ｃ、９１１Ｃ、…（又は図示しない受光素子９２１Ｃ、９２１Ｃ、…）が、透光板８１Ｃによって隠れている。
【０１２１】
しかし、当該電子ホワイトボード１００の変形例においても、上述したような遮光物の位置の誤検出の問題が生じる。すなわち、斯かる電子ホワイトボード１００の変形例においても、保持部材７の固定部７１の先端面が露出されている。従って、発光素子９１１Ｃ、９１１Ｃ、…から発せられた赤外光のうち、保護ガラス１０２の表側に近接して進行する部分が、保持部材７の固定部７１に当たって反射されると、再び保護ガラス１０２に沿って進行して何れかの受光素子９２１Ｃにより受光される。このような場合、斯かる受光素子９２１での受光量が増加し、遮光物の位置の誤検出を招く虞がある。
【０１２２】
これに対して、実施の形態１及び２に記載したように、保持部材７の固定部７１に光吸収膜７３若しくは光吸収シート７５を設け、又は、保持部材７の固定部７１の先端面７２に光吸収膜７４若しくは光吸収シート７６を設けることにより、又は保持部材７の固定部７１に傾斜面７７若しくは傾斜面７７Ａを形成することにより、上述したような、遮光物の位置の誤検出問題を解決することができる。
【０１２３】
（実施の形態６）
図１５は本発明の実施の形態６に係る電子ホワイトボード１００における、反射防止部７８の構成を説明するための説明図である。
【０１２４】
図１５の実線部分は、本発明の実施の形態５に係る電子ホワイトボード１００において、保護ガラス１０２と、発光素子９１１Ｃ，９１１Ｃ・・・、図示しない受光素子９２１Ｃ，９２１Ｃ・・・、基板９１２Ｃ、図示しない基板９２２Ｃなどを含むベゼル部８（破線部分）を省いた部分を示す。すなわち、本発明の実施の形態６に係る電子ホワイトボード１００は、図１５にて実線で示す部分に、発光素子９１１Ｃ，９１１Ｃ・・・、受光素子９２１Ｃ，９２１Ｃ・・・、基板９１２Ｃ、基板９２２Ｃなどを含むベゼル部８を組み込むことにより、構成される（図１４参照）。本実施の形態においては、表示パネルの表面を保護するため、保護ガラス１０２の代わりに、透明樹脂（図示せず）を設けている。
【０１２５】
この場合においても、依然として固定部７１の先端面７２が露出しているので、本発明の実施の形態６に係る電子ホワイトボード１００にて、上述したような遮光物の位置の誤検出の問題が生じることは言うまでもない。
【０１２６】
これに対して、実施の形態１及び２に記載したように、保持部材７の固定部７１に光吸収膜７３若しくは光吸収シート７５を設け、又は、保持部材７の固定部７１の先端面７２に光吸収膜７４若しくは光吸収シート７６を設けることにより、又は保持部材７の固定部７１に傾斜面７７若しくは傾斜面７７Ａを形成することにより、上述したような、遮光物の位置の誤検出問題を解決することができる。
【０１２７】
実施の形態１と同様の部分については、同一の符号を付して詳細な説明を省略する。
【０１２８】
（実施の形態７）
以上の記載においては、いわゆる赤外線遮断式タッチパネルを例にあげて説明したが、本発明はこれに限るものでない。本発明は、例えば、再帰性反射体を用いるタッチパネル（以下、説明の便宜上、光再帰式タッチパネルという）においても適用することができる。
【０１２９】
前記光再帰式タッチパネルは、例えば、表示画面の四隅枠に再帰性反射体を配置し、前記表示画面の長辺、又は、短辺の両端部に各々光学ユニットが設けられている。光学ユニットは、赤外線レーザ光を出射するレーザダイオード、レーザ光を平行光にするコリメーションレンズ、再帰性反射体からの反射光を受光するフォトダイオード、ポリゴンミラーを介した再帰性反射体からの反射光をフォトダイオードへ反射するアパーチャミラー等が設けられている。レーザダイオードから出射されたレーザ光は、コリメーションレンズで平行光にされ、ポリゴンミラーにより表示画面と実質的に平行な面内を、角度を変えて走査され再帰性反射体に照射される。再帰性反射体で反射された光は、ポリゴンミラー、アパーチャミラーで反射され、フォトダイオードで受光される。このように走査される光路上に指又はペンがあると、フォトダイオードで検出される光量が低下し、指又はペンによって光線が遮断されるタイミングから、指又はペンの存在角度を求め、求めた角度から三角測量の原理にて位置座標を検出する。従って、前記光再帰式タッチパネルにおいても、上述したような不要反射光による遮光物の位置の誤検出の問題が生じ得る。
【０１３０】
このような光再帰式タッチパネルにおいても、実施の形態１及び２に記載したような方法にて、前記遮光物の位置の誤検出問題を解決できることは言うまでもない。
【０１３１】
以上の記載においては、発光素子９１１が配置されたベゼル部８にて、上述した遮光物の位置の誤検出の問題が生じる場合を例に挙げて説明したが、本発明はこれに限るものでない。本発明は、受光素子９２１が配置されたベゼル部８における、遮光物の位置の誤検出の問題にも適用可能であることは言うまでもない。
【０１３２】
本発明の実施態様１においては、画像を表示する表示パネル１００Ａと、該表示パネル１００Ａの表示面１０１に沿って光を出射する発光素子９１１の列と、該発光素子９１１の列に対向して配置され、該発光素子９１１からの光を受光する受光素子９２１の列とを備え、前記表示面１０１上で前記発光素子９１１からの光を遮蔽する遮光物Ｓの位置を検出するタッチパネル装置１００において、前記表示面１０１の縁部を覆い、前記表示パネル１００Ａを保持する保持部材７を備え、該保持部材７には、前記発光素子９１１から出射された光が反射されて前記受光素子９２１に受光されるのを抑制する反射防止部７８が設けられていることを特徴とする。
【０１３３】
本発明によれば、前記表示面の縁側を覆って前記表示パネルを保持する保持部材に反射防止部を設け、該保持部材に照射される前記発光素子から出射された光が反射されて前記表示面に沿う方向に戻されることを防止する。
【０１３４】
本発明の実施態様２においては、前記保持部材７は、前記発光素子から出射された光を吸収する光吸収膜７３を有していることを特徴とする。
【０１３５】
本発明によれば、前記反射防止部は前記保持部材に光を吸収する光吸収膜を設けてなり、該保持部材に照射される前記発光素子から出射された光が前記光吸収膜により吸収される。
【０１３６】
本発明の実施態様３においては、前記保持部材７は、前記発光素子９１１から出射された光が照射される部分に、前記光吸収膜７４が設けられていることを特徴とする。
【０１３７】
本発明によれば、前記反射防止部は、前記保持部材における前記発光素子から出射された光が照射される部分に、光を吸収する光吸収膜を設けてなり、該保持部材に照射される前記発光素子から出射された光が該光吸収膜により吸収される。
【０１３８】
本発明の実施態様４においては、前記保持部材７の前記表示面１０１側の端部と、該端部付近の表示面１０１とに、光を吸収する光吸収シート７５が貼付されていることを特徴とする。
【０１３９】
本発明によれば、前記反射防止部は、前記前記保持部材の前記表示面側の端部と、該端部付近の表示面とに、光を吸収する光吸収シートが貼付されてなり、該保持部材に照射される前記発光素子から出射された光が前記光吸収シートにより吸収される。
【０１４０】
本発明の実施態様５においては、前記保持部材７は、前記発光素子９１１から出射された光が照射される部分に、光を吸収する光吸収シート７６が貼付されていることを特徴とする。
【０１４１】
本発明によれば、前記反射防止部は、前記保持部材における前記発光素子から出射された光が照射される部分に、光を吸収する光吸収シートが貼付されてなり、該保持部材に照射される前記発光素子から出射された光が該光吸収シートにより吸収される。
【０１４２】
本発明の実施態様６においては、前記保持部材７は、前記発光素子９１１から出射された光が照射される部分に、前記表示面１０１と鈍角をなす傾斜面７７，７７Ａが形成されていることを特徴とする。
【０１４３】
本発明によれば、前記反射防止部は、前記保持部材における前記発光素子から出射された光が照射される部分に、前記表示面と鈍角をなす傾斜面が形成されており、該傾斜面によって、該保持部材に照射される前記発光素子から出射された光が反射されて前記表示面に沿う方向に戻されることが防止できる。
【符号の説明】
【０１４４】
７  保持部材
７１  固定部
７３  光吸収膜
７４  光吸収膜
７５  光吸収シート
７６  光吸収シート
７７  傾斜面
７７Ａ  傾斜面
７８  反射防止部
１００  電子ホワイトボード（タッチパネル装置）
１０１  表示面
１００Ａ  表示部（表示パネル）
９１１  発光素子
９２１  受光素子
Ｓ  遮光物
【図１】
2015095104.tif 000003
【図２】
2015095104.tif 000004
【図３】
2015095104.tif 000005
【図４】
2015095104.tif 000006
【図５】
2015095104.tif 000007
【図６】
2015095104.tif 000008
【図７】
2015095104.tif 000009
【図８】
2015095104.tif 000010
【図９】
2015095104.tif 000011
【図１０】
2015095104.tif 000012
【図１１】
2015095104.tif 000013
【図１２】
2015095104.tif 000014
【図１３】
2015095104.tif 000015
【図１４】
2015095104.tif 000016
【図１５】
2015095104.tif 000017
【図１６】
2015095104.tif 000018
【図１７】
2015095104.tif 000019